(57)【要約】【課題】強度が強い構造であるというデッキプレートの特性を生かしつつ、断熱材などを上に載せた場合でも該断熱材などに加わる圧力を分散させることにより該断熱材などが割れるのを防止することができ、施工作業中の作業者や雪の重さなどの荷重に耐え、断熱板や防水シートなどを敷設する作業を容易化することができるデッキプレートなどを提供する。【解決手段】金属板を折り曲げ成形することにより、複数の凸部及び凹部が交互に規則的に配列された折板材１１ａを備えたデッキプレート１０ａにおいて、凹部を覆う凹部用蓋１２ａが設けられていると共に、凹部用蓋１２ａの蓋上部平面１４ａは、凸部の上フランジ１３ａ１・上フランジ１３ａ２と同一平面となるように形成されている。【選択図】図１
2008180031.tif 000002
【特許請求の範囲】
【請求項１】
金属板を折り曲げ成形することにより、複数の凸部及び凹部が交互に規則的に配列された折板材を備えたデッキプレートにおいて、
前記凹部を覆う凹部用蓋が設けられていると共に、
前記凹部用蓋の蓋上部平面は、前記凸部の凸部上部平面と同一平面となるように形成されていることを特徴とするデッキプレート。
【請求項２】
前記凸部上部平面における、前記折板材の凹凸の隣接する方向の幅の、前記凸部上部平面と、前記凹部の凹部下部平面との距離である凸部高さに対する比が、１〜３であることを特徴とする請求項１に記載のデッキプレート。
【請求項３】
前記凹部には、前記凹部用蓋を係止させるための凹部係止部が設けられていることを特徴とする請求項１又は２に記載のデッキプレート。
【請求項４】
前記凹部用蓋には、前記凹部係止部に係止されるための蓋被係止部が設けられていることを特徴とする請求項３に記載のデッキプレート。
【請求項５】
前記凹部用蓋は、前記凹部に押圧状態で嵌合される蓋嵌合部を有していることを特徴とする請求項１〜４のいずれか１項に記載のデッキプレート。
【請求項６】
前記蓋嵌合部における下端部は、前記凹部用蓋で前記凹部を覆った場合に該凹部の底面に当接するように形成されていることを特徴とする請求項５に記載のデッキプレート。
【請求項７】
前記凹部用蓋は、取り外し自在であることを特徴とする請求項１〜６のいずれか１項に記載のデッキプレート。
【請求項８】
前記折板材は、隣接する他の折板材と連結可能に設けられていると共に、
該折板材の凹凸の隣接する方向に対する一方及び他方の端部のそれぞれには、隣接する他の折板材に連結させるための、一方連結部及び他方連結部が形成されており、
前記折板材の一方連結部又は他方連結部のそれぞれに、前記他の折板材における他方連結部又は一方連結部を連結させた場合に、連結凹部が形成されるように、前記一方及び他方の端部は、形成されていると共に、
前記連結凹部に、該連結凹部を覆う取り外し自在の連結凹部用蓋が設けられた場合に、
前記凸部の凸部上部平面は、前記連結凹部用蓋の蓋上部平面と同一平面となるように形成されていることを特徴とする請求項１〜７のいずれか１項に記載のデッキプレート。
【請求項９】
前記連結凹部用蓋における連結凹部への嵌合幅と、前記凹部用蓋における凹部への嵌合幅とは、同一に形成されていることを特徴とする請求項８記載のデッキプレート。
【請求項１０】
前記折板材の一方連結部と、この折板材に隣接する折板材の他方連結部とが互いに掛止されると共に、
前記連結凹部用蓋は、前記連結凹部に嵌合される連結凹部用蓋嵌合部を有していることを特徴とする請求項８に記載のデッキプレート。
【請求項１１】
前記凹部用蓋に、エンボス加工による加工形状が形成されていることを特徴とする請求項１〜１０のいずれか１項に記載のデッキプレート。
【請求項１２】
前記凸部平面に、エンボス加工による加工形状が形成されていることを特徴とする請求項１〜１１のいずれか１項に記載のデッキプレート。
【請求項１３】
金属板を折り曲げ成形することにより、凸部が１つである折板材を備えたデッキプレートにおいて、
該折板材は、隣接する他の折板材と連結可能に設けられていると共に、
前記凸部の一方及び他方の端部のそれぞれには、隣接する他の折板材に連結させるための、一方連結部及び他方連結部が形成されており、
前記折板材の一方連結部又は他方連結部のそれぞれに、前記他の折板材における他方連結部又は一方連結部を連結させた場合に、連結凹部が形成されるように、前記一方及び他方の端部は、形成されていると共に、
前記一方連結部又は他方連結部の少なくとも一方側の連結凹部に、該連結凹部を覆う取り外し自在の連結凹部用蓋が設けられていると共に、前記凸部の凸部上部平面は、前記連結凹部用蓋の蓋上部平面と同一平面となるように形成されていることを特徴とするデッキプレート。
【発明の詳細な説明】
【技術分野】
【０００１】
本発明は、建築、土木、車両、その他の構造物に用いられるデッキプレートに関するものである。
【背景技術】
【０００２】
従来、建築、土木、車両、その他の構造物においては、例えば、特許文献１に開示された外壁構造を構成するためのパネルのように、金属板を折り曲げて成形した折板材が広く使われている。
【０００３】
特に、屋根板材、屋根下地材及び床板材などに用いられる折板材には、フラット屋根やデッキプレートと呼ばれるものなどがある。
【０００４】
図６は、従来のフラット屋根１００の構成を示す斜視図である。フラット屋根１００は、金属板を折り曲げて成形した折板材であり、図６に示すように、フラット面１０１ａ〜１０１ｃと、支持部１０２ａ〜１０２ｃとから構成されるものである。
【０００５】
フラット面１０１ａ〜１０１ｃは、フラット屋根１００の上部を構成する平面部（以下「フラットな面」と呼ぶことがある。）である。また、支持部１０２ａ〜１０２ｃは、フラット屋根１００の断面形状がＴ字を並べたような構造となるように、金属板の一部を織り込んでかしめて形成したものであり、フラット面１０１ａ〜１０１ｃを支持するためのものである。
【０００６】
一方、デッキプレートは、床鋼板とも呼ばれ、強度を保つのに合理的な形状を波付けした広幅帯鋼である。また、デッキプレートは、通常冷間で圧延成形によって加工される。また、デッキプレートは、コンクリートスラブの型枠として、特にサポートが不要なため高層ビルなどに多く利用されている折板材である。デッキプレートの形状には、溝の深いもの、浅いもの、ピッチの大小や特殊な溝のものなど様々な種類のものがある。
【０００７】
また、デッキプレートは、日本工業規格（ＪＩＳ：Japanese Industrial Standard：以下「ＪＩＳ」と呼ぶ。非特許文献２参照。）における規格番号Ｇ３３５２（２００３）の工業規格名でもある。ＪＩＳによるデッキプレートは、建築、土木、車両、その他の構造物に用いられる冷間成形されたデッキプレートであるとされている。
【０００８】
次に、図７（ａ）・図７（ｂ）に基づき従来のデッキプレート及びそれを用いた屋根下地構造の例について説明する。図７（ａ）は、従来の屋根下地構造２００を説明するための断面図であり、図７（ｂ）は、屋根下地構造２００を構成するデッキプレート２０１の断面形状などを説明するための断面図である。
【０００９】
屋根下地構造２００は、図７（ａ）に示すように、複数枚のデッキプレート２０１ａ〜２０１ｃ（図７（ａ）では、デッキプレート２０１が３枚の場合を図示している。小文字のアルファベットは、これら３枚のデッキプレートを区別するため便宜上付したものである。）が、一列に互いに連結されて構成されるものである。
【００１０】
次に、図７（ｂ）に基づきデッキプレート２０１の構造について説明する。デッキプレート２０１の断面形状は、図７（ｂ）に示すように、凸部２０２、及び凹部２０３が交互に規則的に配列され、波を描くような構造となっている。このような構造を採用することにより、通常鋼板と比較して、該通常鋼板を成形加工したデッキプレートの強度が高められている。
【００１１】
ここで、図７（ａ）に基づき、デッキプレートの強度特性を規定する各種パラメータついて説明する。高さＨは、デッキプレートの高さである。単位幅Ｂは、デッキプレートの断面形状を形成する一構成単位のデッキプレートの凹凸が隣接する方向に対する幅であり、通常はデッキプレートにおける隣接する凸部間の間隔で与えられる。
【００１２】
溝上寸法ｂ１は、隣接する凸部間の距離である。溝下寸法ｂ２は凹部の底面における凹凸が隣接する方向の幅である。表示厚さｔは、デッキプレートを構成する金属板の板厚である。有効製品幅Ｗ０は、１枚のデッキプレートの凹凸が隣接する方向の全幅である。これらのパラメータを合理的な値に設定することや、デッキプレートを構成する素材の性質などによって、デッキプレートの強度特性が定まる。
【００１３】
ところで、図８に示すように、屋根板構造の技術分野においては、断熱効果や防水効果を高めるために、屋根板、或いは屋根下地材の上に断熱板を敷き、さらにその上に防水シートを敷く施工法が多く採られている。
【００１４】
図８は、該施工法により断熱・防水効果を高めた従来のデッキプレートを用いた屋根板構造３００の概要について説明するための斜視図である。
【００１５】
屋根板構造３００は、図８に示すように、複数枚のデッキプレートで構成される屋根下地３０１と、屋根下地３０１の上部に設けられる断熱板３０２と、断熱板３０２の上部に設けられる防水シート３０３とから構成される。
【００１６】
前記施工法による屋根板構造３００によれば、断熱材である断熱板３０２の使用により、その断熱効果を高め、室内で使われるエアコンなどによる空調費を軽減したり、高い省エネ効率を実現することができる。また、防水シート３０３の使用により、耐候性に優れ、例えば、多雪地帯におけるスガモレに対し優れた防水性を発揮させることが可能である。
【特許文献１】特開２００５−３３６９９９号公報（平成１７年１２月８日公開）
【非特許文献１】「日本工業規格（JIS G3352：2003）デッキプレート」，日本工業規格ホームページ，http://www.jisc.go.jp/app/pager?id=16914，2003年改正
【発明の開示】
【発明が解決しようとする課題】
【００１７】
ところで、図８に示す、前記施工法では、まず、屋根下地３０１の上部に断熱板３０２を敷設する作業を行った後、断熱板３０２の上部に防水シート３０３を敷設する作業が必要である。防水シート３０３を敷設する作業は、作業者が、断熱板３０２の上に立って作業を行う必要がある。
【００１８】
このため、図８に示す、屋根板構造３００のように、凹部及び凸部が存在するデッキプレートを屋根下地３０１として用いた場合、前記施工法での作業や雪の重さなどにより、断熱板３０２が割れてしまうという問題点がある。
【００１９】
従って、屋根下地３０１の上面は、できるだけ、フラットな面であることが好ましい。このような観点からは、前記の図６に示した、フラット屋根１００のようにフラットな面が広範囲に形成されていることが好ましい。
【００２０】
しかしながら、フラット屋根１００では、上述のようにフラット面１０１ａ〜１０１ｃを、通常、金属板を織り込んでかしめて形成した、紙面上における左右方向の断面形状が、幅の狭い略逆Ｔ字状の支持部１０２ａ〜１０２ｃで支持する構造となっており、構造的に強度が弱いという問題点がある。
【００２１】
一方、従来のデッキプレートは、上述したように、強度を保つのに合理的な形状として波を描くような構造を採っており、応力に対する耐性を示す物理量としての断面２次モーメントや断面係数などは、フラット屋根１００より高い。
【００２２】
本発明は、上記従来の問題点に鑑みなされたものであって、その目的は、強度が強い構造であるというデッキプレートの特性を生かしつつ、断熱材などを上に載せた場合でも該断熱材などに加わる圧力を分散させることにより該断熱材などが割れるのを防止することができ、施工作業中の作業者や雪の重さなどの荷重に耐え、断熱板や防水シートなどを敷設する作業を容易化することができるデッキプレートなどを提供することにある。
【課題を解決するための手段】
【００２３】
本発明のデッキプレートは、前記課題を解決するために、金属板を折り曲げ成形することにより、複数の凸部及び凹部が交互に規則的に配列された折板材を備えたデッキプレートにおいて、前記凹部を覆う凹部用蓋が設けられていると共に、前記凹部用蓋の蓋上部平面は、前記凸部の凸部上部平面と同一平面となるように形成されていることを特徴としている。
【００２４】
前記構成によれば、折板材は、金属板を折り曲げ成形することにより、複数の凸部及び凹部が交互に規則的に配列された構造である。それゆえ、応力に対する耐性を示す物理量としての断面２次モーメントや断面係数などが、前記構造を有していない折板材と比較して高い。よって、強度が強い構造であるというデッキプレートの特性を生かすことができる。
【００２５】
なお、ＪＩＳによれば、この折板材の素材である金属板の例として普通鋼、耐候性鋼、及びステンレス鋼などが例示されているが、これらに限られず、各種金属、各種合金など必要に応じて適宜選択すれば良い。
【００２６】
また、デッキプレートは、前記折板材の凹部を覆う凹部用蓋が設けられていると共に、前記凹部用蓋の蓋上部平面は、前記凸部の凸部上部平面と同一平面となるように形成されている。
【００２７】
それゆえ、デッキプレートの上面には、凸部上部平面に加えて、該凸部上部平面と同一平面となる凹部用蓋の蓋上部平面が存在することになるので、フラットな面が占める割合が、凹部用蓋の無いデッキプレートと比較して圧倒的に高くなる。したがって、断熱材などを上に載せた場合でも該断熱材などに加わる圧力を分散させることにより該断熱材などが割れるのを防止することができる。また、施工作業中の作業者や雪の重さなどの荷重に耐え、断熱板や防水シートなどを敷設する作業を容易化することができる。
【００２８】
なお、凹部用蓋は、溶接などで、取り外せないようにしても良いし、後述するように、取り外し自在としても良い。溶接などで取り外せないようにした場合には、デッキプレートの強度を高めることができ、凹部用蓋が容易にはずれないようにすることができる。
【００２９】
以上により、強度が強い構造であるというデッキプレートの特性を生かしつつ、断熱材などを上に載せた場合でも該断熱材などに加わる圧力を分散させることにより該断熱材などが割れるのを防止することができ、施工作業中の作業者や雪の重さなどの荷重に耐え、断熱板や防水シートなどを敷設する作業を容易化することができるデッキプレートを提供することができる。
【００３０】
また、本発明のデッキプレートは、前記構成に加えて、前記凸部上部平面における、前記折板材の凹凸の隣接する方向の幅の、前記凸部上部平面と、前記凹部の凹部下部平面との距離である凸部高さに対する比が、１〜３であることが好ましい。
【００３１】
ここで、前記の比が３よりも大きいとデッキプレートにおける凸部の相対的高さは低くなり、荷重により、凹凸が隣接する方向へ凸部が倒れにくくなる。したがって、凹部用蓋を設ける意義がなくなる。このため、折板材が通常鋼板であるとした場合に、前記比は３以下であることが好ましい。
【００３２】
一方、前記の比が１よりも小さいと、デッキプレートにおける凸部の相対的高さは高くなるが、１枚の折板材における凹凸の密度が高くなる。この結果、荷重により、凹凸が隣接する方向へ凸部が倒れにくくなる。したがって、この場合も、凹部用蓋を設ける意義がなくなる。したがって、前記比は１以上であることが好ましい。
【００３３】
この結果、デッキプレートの強度を実用に耐えうる強度に保ちつつ、荷重によるデッキプレートの凸部の転倒を防止することができる。
【００３４】
また、本発明のデッキプレートは、前記構成に加えて、前記凹部には、前記凹部用蓋を係止させるための凹部係止部が設けられていることが好ましい。
【００３５】
また、本発明のデッキプレートは、前記構成に加えて、前記凹部用蓋には、前記凹部係止部に係止されるための蓋被係止部が設けられていることが好ましい。
【００３６】
前記構成によれば、凹部用蓋をデッキプレートの凹部に係止させることができる。それゆえ、デッキプレートから凹部用蓋が容易に外れないようにすることができる。
【００３７】
また、本発明のデッキプレートは、前記構成に加えて、前記凹部用蓋は、前記凹部に押圧状態で嵌合される蓋嵌合部を有していることが好ましい。
【００３８】
前記構成によれば、凹部用蓋とデッキプレートの凹部とを嵌合させた場合に、凹部用蓋の蓋嵌合部が押圧状態で嵌合されたときの弾性力を利用することができる。よって、該弾性力により、さらにデッキプレートから凹部用蓋が容易に外れないようにすることができる。また、該弾性力によりデッキプレートにおける凹部用蓋の耐圧特性を高めることもできる。
【００３９】
本発明のデッキプレートは、前記構成に加えて、前記蓋嵌合部における下端部は、前記凹部用蓋で前記凹部を覆った場合に該凹部の底面に当接するように形成されていることが好ましい。
【００４０】
前記構成によれば、デッキプレートと凹部用蓋とを嵌合させた場合に、前記蓋嵌合部における下端部が、デッキプレートの凹部の底面に当接する。それゆえ、前記蓋嵌合部における下端部で、凹部用蓋を支持することができる。よって、さらに、デッキプレートにおける凹部用蓋の耐圧特性を高めることができる。
【００４１】
本発明のデッキプレートは、前記構成に加えて、前記凹部用蓋は、取り外し自在であることが好ましい。
【００４２】
前記構成によれば、凹部用蓋は、取り外すことができるので、一の凹部用蓋と他の凹部用蓋との交換が可能となる。それゆえ、必要に応じて、所望の構成を備える凹部用蓋を選択して利用することができる。
【００４３】
本発明のデッキプレートは、前記構成に加えて、前記折板材は、隣接する他の折板材と連結可能に設けられていると共に、該折板材の凹凸の隣接する方向に対する一方及び他方の端部のそれぞれには、隣接する他の折板材に連結させるための、一方連結部及び他方連結部が形成されており、前記折板材の一方連結部又は他方連結部のそれぞれに、前記他の折板材における他方連結部又は一方連結部を連結させた場合に、連結凹部が形成されるように、前記一方及び他方の端部は、形成されていると共に、前記連結凹部に、該連結凹部を覆う取り外し自在の連結凹部用蓋が設けられた場合に、前記凸部の凸部上部平面は、前記連結凹部用蓋の蓋上部平面と同一平面となるように形成されていることが好ましい。
【００４４】
前記構成によれば、デッキプレートを構成する折板材は、隣接する他の折板材と連結可能に設けられている。また、該折板材の凹凸の隣接する方向に対する一方及び他方の端部のそれぞれには、隣接する他の折板材に連結させるための、一方連結部及び他方連結部が形成されている。それゆえ、複数枚のデッキプレートを連結させることができる。
【００４５】
また、デッキプレートを構成する折板材の一方連結部又は他方連結部のそれぞれに、前記他の折板材における他方連結部又は一方連結部を連結させた場合に、連結凹部が形成されるように、前記一方及び他方の端部は、形成されている。さらに、前記連結凹部に、該連結凹部を覆う取り外し自在の連結凹部用蓋が設けられた場合に、前記凸部の凸部上部平面は、前記連結凹部用蓋の蓋上部平面と同一平面となるように形成されている。さらに、連結凹部用蓋は取り外し可能である。
【００４６】
それゆえ、複数枚のデッキプレート同士を連結させた後に、連結凹部を連結凹部用蓋で覆うことができるので、施工が容易であり、他方連結部又は一方連結部を連結させた場合の連結部付近に雨水が溜まり、該連結部付近から雨水などが漏れるのを防止することができる。
【００４７】
また、本発明のデッキプレートは、前記構成に加えて、前記連結凹部用蓋における連結凹部への嵌合幅と、前記凹部用蓋における凹部への嵌合幅とは、同一に形成されていることが好ましい。
【００４８】
前記構成によれば、凹部用蓋及び連結凹部用蓋は、それぞれ、連結凹部及び凹部に転用させることが可能となる。それゆえ、これらの蓋を別々に生産するという面倒な作業を行う必要がなく、生産効率を高めると共に、生産コストを低減させることができる。
【００４９】
また、デッキプレートを構成する折板材の一方連結部又は他方連結部のそれぞれに、前記他の折板材における他方連結部又は一方連結部を連結させた場合に、連結凹部が形成されるように、前記一方及び他方の端部は、形成されている。さらに、前記連結凹部に、該連結凹部を覆う取り外し自在の連結凹部用蓋が設けられた場合に、前記凸部の凸部上部平面は、前記連結凹部用蓋の蓋上部平面と同一平面となるように形成されている。さらに、連結凹部用蓋は取り外し可能である。
【００５０】
それゆえ、複数枚のデッキプレート同士を連結させた後に、連結凹部を連結凹部用蓋で覆うことができるので、施工が容易であり、他方連結部又は一方連結部を連結させた場合の連結部付近に雨水が溜まり、該連結部付近から雨水などが漏れるのを防止することができる。
【００５１】
また、本発明のデッキプレートは、前記構成に加えて、前記折板材の一方連結部と、この折板材に隣接する折板材の他方連結部とが互いに掛止されると共に、前記連結凹部用蓋は、前記連結凹部に嵌合される連結凹部用蓋嵌合部を有していることが好ましい。
【００５２】
前記構成によれば、折板材の一方連結部と、この折板材に隣接する折板材の他方連結部とが互いに掛止されるようになっている。また、連結凹部用蓋は、前記連結凹部に嵌合される連結凹部用蓋嵌合部を有している。ところで、折板材の一方連結部とこの折板材に隣接する折板材の他方連結部との掛止状態が崩れ、一方連結部と他方連結部との距離が狭まると、連結凹部が掛止されている状態が崩れてしまう。しかしながら、前記構成によれば、連結凹部を覆う、連結凹部用蓋嵌合部を有する連結凹部用蓋を、該連結凹部に嵌合させることにより、前記距離が狭まるのを防止することができる。それゆえ、連結凹部用蓋で、連結凹部を覆うことにより、折板材の一方連結部と、この折板材に隣接する折板材の他方連結部とが互いに掛止されている状態を維持し易くすることができる。
【００５３】
また、本発明のデッキプレートは、前記構成に加えて、前記凹部用蓋に、エンボス加工による加工形状が形成されていることことが好ましい。
【００５４】
また、本発明のデッキプレートは、前記構成に加えて、前記凸部平面に、エンボス加工による加工形状が形成されていることが好ましい。
【００５５】
前記構成によれば、凸部平面又は凹部用蓋に、エンボス加工による加工形状が形成されている。それゆえ、エンボス加工が施されていないものと比較して、強度を高めることができる。
【００５６】
また、本発明のデッキプレートは、前記課題を解決するために、金属板を折り曲げ成形することにより、凸部が１つである折板材を備えたデッキプレートにおいて、該折板材は、隣接する他の折板材と連結可能に設けられていると共に、前記凸部の一方及び他方の端部のそれぞれには、隣接する他の折板材に連結させるための、一方連結部及び他方連結部が形成されており、前記折板材の一方連結部又は他方連結部のそれぞれに、前記他の折板材における他方連結部又は一方連結部を連結させた場合に、連結凹部が形成されるように、前記一方及び他方の端部は、形成されていると共に、前記一方連結部又は他方連結部の少なくとも一方側の連結凹部に、該連結凹部を覆う取り外し自在の連結凹部用蓋が設けられていると共に、前記凸部の凸部上部平面は、前記連結凹部用蓋の蓋上部平面と同一平面となるように形成されていることを特徴としている。
【００５７】
前記構成によれば、折板材は、金属板を折り曲げ成形することにより、凸部が１つである構造である。それゆえ、デッキプレート一枚の重量を、凸部が複数ある折板材を備えたデッキプレートよりも小さくでき、運搬性や施工性を良くすることが可能である。
【００５８】
また、デッキプレートを構成する該折板材は、隣接する他の折板材と連結可能に設けられている。また、前記凸部の一方及び他方の端部のそれぞれには、隣接する他の折板材に連結させるための、一方連結部及び他方連結部が形成されている。それゆえ、複数枚のデッキプレートを連結させることができる。
【００５９】
デッキプレートは、前記一方連結部又は他方連結部の少なくとも一方側の連結凹部に、該連結凹部を覆う取り外し自在の連結凹部用蓋を設けられていると共に、前記凸部の凸部上部平面は、前記連結凹部用蓋の蓋上部平面と同一平面となるように形成されている。
【００６０】
それゆえ、デッキプレートの上面には、凸部上部平面に加えて、該凸部上部平面と同一平面となる連結凹部用蓋の蓋上部平面が存在することになるので、フラットな面が占める割合が、連結凹部用蓋の無いデッキプレートと比較して圧倒的に高くなるようにすることができる。
【００６１】
また、２以上のデッキプレートを連結させた場合には、連結することによって形成される連結凹部に、取り外し自在の連結凹部用蓋を設けることにより、断熱材などを上に載せた場合でも該断熱材などに加わる圧力を分散させ、該断熱材などが割れるのを防止することができる。よって、施工作業中の作業者や雪の重さなどの荷重に耐え、断熱板や防水シートなどを敷設する作業を容易化することができる。
【発明の効果】
【００６２】
本発明のデッキプレートは、以上のように、デッキプレートの凹部を覆う蓋が設けられていると共に、前記蓋の蓋上部平面は、デッキプレートの凸部の凸部上部平面と同一平面となるように形成されているものである。
【００６３】
それゆえ、強度が強い構造であるというデッキプレートの特性を生かしつつ、断熱材などを上に載せた場合でも該断熱材などに加わる圧力を分散させることにより該断熱材などが割れるのを防止することができ、施工作業中の作業者や雪の重さなどの荷重に耐え、断熱板や防水シートなどを敷設する作業を容易化することができるデッキプレートを提供することができるという効果を奏する。
【００６４】
また、本発明のデッキプレートは、以上のように、金属板を折り曲げ成形することにより、凸部が１つである折板材を備えたデッキプレートにおいて、該折板材は、隣接する他の折板材と連結可能に設けられていると共に、前記凸部の一方及び他方の端部のそれぞれには、隣接する他の折板材に連結させるための、一方連結部及び他方連結部が形成されており、前記折板材の一方連結部又は他方連結部のそれぞれに、前記他の折板材における他方連結部又は一方連結部を連結させた場合に、連結凹部が形成されるように、前記一方及び他方の端部は、形成されていると共に、前記一方連結部又は他方連結部の少なくとも一方側の連結凹部に、該連結凹部を覆う取り外し自在の連結凹部用蓋が設けられていると共に、前記凸部の凸部上部平面は、前記連結凹部用蓋の蓋上部平面と同一平面となるように形成されているものである。
【００６５】
以上によれば、折板材は、金属板を折り曲げ成形することにより、凸部が１つである構造である。それゆえ、デッキプレート一枚の重量を、凸部が複数ある折板材を備えたデッキプレートよりも小さくでき、運搬性や施工性を良くすることが可能であるという効果を奏する。
【００６６】
また、デッキプレートを構成する該折板材は、隣接する他の折板材と連結可能に設けられている。また、前記凸部の一方及び他方の端部のそれぞれには、隣接する他の折板材に連結させるための、一方連結部及び他方連結部が形成されている。それゆえ、複数枚のデッキプレートを連結させることができるという効果を奏する。
【００６７】
また、デッキプレートは、前記一方連結部又は他方連結部の少なくとも一方の連結凹部に、該連結凹部を覆う取り外し自在の連結凹部用蓋を設けられていると共に、前記凸部の凸部上部平面は、前記連結凹部用蓋の蓋上部平面と同一平面となるように形成されている。
【００６８】
それゆえ、デッキプレートの上面には、凸部上部平面に加えて、該凸部上部平面と同一平面となる連結凹部用蓋の蓋上部平面が存在することになるので、フラットな面が占める割合が、連結凹部用蓋の無いデッキプレートと比較して圧倒的に高くなるようにすることができるという効果を奏する。また、２以上のデッキプレートを連結させた場合には、連結することによって形成される連結凹部に、取り外し自在の連結凹部用蓋を設けることにより、断熱材などを上に載せた場合でも該断熱材などに加わる圧力を分散させ、該断熱材などが割れるのを防止することができる。よって、施工作業中の作業者や雪の重さなどの荷重に耐え、断熱板や防水シートなどを敷設する作業を容易化することができるという効果を奏する。
【発明を実施するための最良の形態】
【００６９】
本発明の一実施形態について図１〜図５（ｂ）に基づいて説明すれば、以下の通りである。なお、上述したように、デッキプレートは日本工業規格となっているが、本発明の適用範囲は前記規格などによって限定されるものではない。
【００７０】
〔１．デッキプレートの基本構成について〕
まず、図１及び図２（ａ）〜図２（ｃ）に基づき本発明の一実施形態であるデッキプレート１０ａ（以下、説明の便宜のため、デッキプレートが複数枚存在している場合には、アルファベットの小文字を付してデッキプレート１０ａ、デッキプレート１０ｂなどと区別して記載する。）の基本構成について説明する。
【００７１】
図１は、デッキプレート１０ａ・デッキプレート１０ｂの構成を説明するための斜視図である。また、図２（ａ）は、デッキプレート１０ａ・デッキプレート１０ｂの断面形状を示す断面図であり、図２（ｂ）は、デッキプレート１０ａにおける凹部用蓋の一例である凹部用蓋１２ａの断面形状を示す断面図である。図２（ｃ）は、デッキプレート１０ａ・デッキプレート１０ｂにおける連結凹部用蓋の一例である連結凹部用蓋１２ｂの断面形状を示す断面図である。なお、凹部用蓋１２ａ及び連結凹部用蓋１２ｂは、それぞれ連結凹部用蓋及び凹部用蓋として用いることも可能である。
【００７２】
デッキプレート１０ａは、図１に示すように、折板材１１ａ及び凹部用蓋１２ａとを備えているものである。なお、上述したように、凹部用蓋１２ａの替わりに、連結凹部用蓋１２ｂの構成を有する凹部用蓋を備えていても良い。
【００７３】
また、ＪＩＳによれば、この折板材１１ａの素材である金属板の例として普通鋼、耐候性鋼、及びステンレス鋼などが例示されているが、これらに限られず、各種金属、各種合金など必要に応じて適宜選択すれば良い。また、普通鋼を加工することによって構成されるデッキプレートは圧延したままのものと、めっきを施したものとがあるが、めっきは、普通鋼以外の金属板に施されていても良い。
【００７４】
ところで、図１では、デッキプレート１０ａの凹部（詳細は、以下で説明するが、デッキプレート１０ａとデッキプレート１０ｂとの連結部が形成する連結凹部は除く。）が１つの場合を示している（凹部用蓋１２ａが取り付けられている凹部のみ）が、このような場合に限られず、デッキプレート１０ａの凹部は複数であってもかまわない。
【００７５】
折板材１１ａの断面形状は、図１及び図２（ａ）に示すように、波形を描くように凸部と凹部とが交互に規則的に配列された構造をしている。折板材１１ａの凸部の上面は、図２（ａ）に示すように、通常は平面となっており、ＪＩＳによれば、一般的なデッキプレートの上フランジに相当する部分であるので、上フランジ（凸部上部平面又は凸部）１３ａ１・上フランジ（凸部上部平面又は凸部）１３ａ２と呼ぶ。
【００７６】
なお、図１に示すように、上フランジ１３ａ１・上フランジ１３ａ２には、エンボス加工による加工形状（図１の上フランジ１３ａ１・上フランジ１３ａ２上に、デッキプレート１０ａにおける凹凸の隣接する方向の、複数の平行線に沿う凹部として形成されている加工形状）が形成されていることが好ましい。これにより、前記加工形状を有していないものと比較して、上フランジ１３ａ１・上フランジ１３ａ２ひいてはデッキプレート１０ａの強度を高めることができる。
【００７７】
また、図２（ａ）に示すように、折板材１１ａの凹部の底面も通常は平面となっており、ＪＩＳによれば、一般的なデッキプレートの下フランジに相当する部分であるので、下フランジ（凹部下部平面，凹部）１５ａ２と呼ぶ。なお、図１及び図２（ａ）に示すように、下フランジ１５ａ２の複数箇所に適宜リブ（図１及び図２（ａ）では、下フランジ１５ａ２におけるデッキプレート１０ａの凹凸の隣接する方向に対して直交する方向２つの平行線に沿って形成された凸部として示されている。）を設けることが好ましい。これにより、下フランジ１５ａ２ひいてはデッキプレート１０ａの強度を高めることができる。
【００７８】
さらに、図２（ａ）に示すように、折板材１１ａの、隣接する上フランジ１３ａ１と下フランジ１５ａ２とを繋げる面は、ＪＩＳによれば、一般的なデッキプレートのウェブに相当する部分であるためウエブ（凹部嵌合部，凸部又は凹部）１６ａ１Ｒと呼ぶ（以下、説明の便宜のため、凹部又は後述する連結凹部の右にあるウエブには、アルファベットの大文字でＲを下付き文字として付し、ウエブ１６ａ１Ｒなどと呼ぶ。一方、凹部又は連結凹部の左にあるウエブには、アルファベットの大文字でＬを下付き文字として付し、ウエブ１６（連結凹部嵌合部，連結凹部又は凸部）ａ１Ｌなどと呼ぶ。）。
【００７９】
言い換えると、デッキプレート１０ａの折板材１１ａの断面形状は、上フランジ１３ａ１、下フランジ１５ａ２、及びウェブ１６ａ１Ｒを一構成単位として、該単位が繰り返されて波形を描くような構造となっている。
【００８０】
こうして、デッキプレート１０ａの凸部は、上フランジ１３ａ１及び上フランジ１３ａ１の、デッキプレート１０ａにおける凹凸の隣接する方向の両端に繋がる２つのウエブ１６ａ１Ｒ・ウエブ１６ａ１Ｌで構成されることになる（凸部）。
【００８１】
また、別の観点からは、デッキプレート１０ａの凹部が、下フランジ１５ａ２及び下フランジ１５ａ２の、デッキプレート１０ａにおける凹凸の隣接する方向の両端に繋がる２つのウエブ１６ａ１Ｒ・ウエブ（凹部嵌合部，凸部又は凹部）１６ａ２Ｌで構成されるとも言える（凹部）。
【００８２】
凹部用蓋１２ａは、デッキプレート１０ａの凹部を覆うものである。凹部用蓋１２ａは、溶接などで、取り外せないようにしても良いし、後述するように、取り外し自在としても良い。なお、溶接などで取り外せないようにした場合には、デッキプレート１０ａの強度を高めることができ、凹部用蓋１２ａが容易にはずれないようにすることができる。また、凹部用蓋１２ａの蓋上部平面１４ａは、デッキプレート１０ａの凸部の上フランジ１３ａ１・上フランジ１３ａ２と同一平面となるように形成されている。
【００８３】
上述のように、デッキプレート１０ａにおける折板材１１ａは、金属板を折り曲げ成形することにより、複数の凸部及び凹部が交互に規則的に配列された構造である。それゆえ、応力に対する耐性を示す物理量としての断面２次モーメントや断面係数などが、このような構造を有していない折板材と比較して高い。よって、強度が強い構造であるというデッキプレートの特性を生かすことができる。
【００８４】
また、デッキプレート１０ａには、折板材１１ａの凹部を覆う凹部用蓋１２ａが設けられていると共に、凹部用蓋１２ａの蓋上部平面１４ａは、デッキプレート１０ａの凸部の上フランジ１３ａ１・上フランジ１３ａ２と同一平面となるように形成されている。
【００８５】
それゆえ、デッキプレート１０ａの上面はフラットな面が占める割合が、凹部用蓋の無いデッキプレートと比較して圧倒的に高い。したがって、断熱材などを上に載せた場合でも該断熱材などに加わる圧力を分散させることにより該断熱材などが割れるのを防止することができる。また、施工作業中の作業者や雪の重さなどの荷重に耐え、断熱板や防水シートなどを敷設する作業を容易化することができる。
【００８６】
以上により、強度が強い構造であるというデッキプレートの特性を生かしつつ、断熱材などを上に載せた場合でも該断熱材などに加わる圧力を分散させることにより該断熱材などが割れるのを防止することができ、施工作業中の作業者や雪の重さなどの荷重に耐え、断熱板や防水シートなどを敷設する作業を容易化することができるデッキプレート１０ａを提供することができる。
【００８７】
〔２．デッキプレートにおける凹部用蓋の構成の詳細〕
次に、図２（ａ）〜図２（ｂ）及び図３（ａ）に基づき、デッキプレート１０ａにおける凹部を覆うための蓋の例である凹部用蓋１２ａの構成の詳細について説明する。
【００８８】
なお、〔２．デッキプレートにおける凹部用蓋の構成〕の詳細において説明すること以外の構成は、〔１．デッキプレートの基本構成〕と同じである。また、説明の便宜上、〔１．デッキプレートの基本構成〕の図面に示した部材と同一の機能を有する部材については、同一の符号を付し、その説明を省略する。
【００８９】
まず、図２（ａ）・図２（ｂ）及び図３（ａ）に基づき、デッキプレート１０ａにおける凹部用蓋１２ａの構成について説明する。図２（ｂ）は、凹部用蓋１２ａの断面形状を示す断面図である。また、図３（ａ）は、凹部用蓋１２ａの全体構成の概要を示す斜視図である。
【００９０】
凹部用蓋１２ａは図３（ａ）に示すような全体構成となっており、図２（ｂ）にも示すように、蓋上部平面１４ａ、及び蓋嵌合部１７ａＬ・蓋嵌合部１７ａＲとから構成されるものである。
【００９１】
蓋上部平面１４ａは、凹部用蓋１２ａの上部に形成された平面である。なお、蓋上部平面１４ａは、図３（ａ）に示すように、複数箇所に、適宜エンボス加工による加工形状（図３（ａ）の蓋上部平面１４ａ上に、凹部用蓋１２ａの短手方向の複数の平行線に沿う凹部として形成されている加工形状）が形成されていることが好ましい。これにより、蓋上部平面１４ａひいては、凹部用蓋１２ａの強度を高めることができる。
【００９２】
蓋嵌合部１７ａＬ・蓋嵌合部１７ａＲは、デッキプレート１０ａの凹部に対して押圧状態で嵌合される部分である。なお、凹部用蓋１２ａにおいては、押圧状態は、図２（ａ）に示すように、ウエブ１６ａ１Ｒ・ウエブ（凹部嵌合部，凸部又は凹部）１６ａ２Ｌに対して、蓋嵌合部１７ａＬ・蓋嵌合部１７ａＲにおける凹部用蓋１２ａの、短手方向の弾性力によるものとなっている。
【００９３】
それゆえ、凹部用蓋１２ａとデッキプレート１０ａの凹部とを嵌合させた場合に、凹部用蓋１２ａの蓋嵌合部１７ａＬ・蓋嵌合部１７ａＲが押圧状態で嵌合されたときの弾性力を利用することができる。よって、該弾性力により、デッキプレート１０ａから凹部用蓋１２ａが容易に外れないようにすることができる。また、該弾性力によりデッキプレート１０ａにおける凹部用蓋１２ａの耐圧特性を高めることもできる。
【００９４】
ところで、デッキプレート１０ａの凹部には、図２（ａ）に示すように、凹部用蓋１２ａを係止させる、ウエブ１６ａ１Ｒ・ウエブ１６ａ２Ｌのそれぞれの一部を突出させた凹部係止部（凹部）１８ａ１Ｒ，凹部係止部（凹部）１８ａ２Ｌが設けられている。
【００９５】
一方、図２（ｂ）に示すように、凹部用蓋１２ａにおける蓋嵌合部１７ａＬ・蓋嵌合部１７ａＲは、下端部をそれぞれＳ字上・Ｚ字状に湾曲させて形成した蓋被係止部１９ａＬ，蓋被係止部１９ａＲが設けられている。
【００９６】
それゆえ、凹部用蓋１２ａをデッキプレート１０ａの凹部（ウエブ１６ａ１Ｒ・ウエブ１６ａ２Ｌ・下フランジ１５ａで構成される凹部）に係止させることができる。それゆえ、デッキプレートから凹部用蓋１２ａが容易に外れないようにすることができる。
【００９７】
次に、凹部用蓋１２ａの他の例について説明する。凹部用蓋１２ａにおける蓋嵌合部１７ａＬ・蓋嵌合部１７ａＲは、詳細は後述するが、図２（ａ）・図２（ｃ）に示す連結凹部用蓋１２ｂにおける連結凹部用蓋嵌合部１７ｂＬ及び連結凹部用蓋嵌合部１７ｂＲのように構成しても良い。
【００９８】
すなわち、蓋嵌合部１７ａＬ・蓋嵌合部１７ａＲのそれぞれの下端部は、凹部用蓋１２ａでデッキプレート１０ａの凹部を覆った場合に、該凹部の底面である下フランジ１５ａ２に当接するように形成されていることが好ましい（図示せず）。
【００９９】
これにより、、デッキプレート１０ａと凹部用蓋１２ａとを嵌合させた場合に、蓋嵌合部１７ａＬ及び蓋嵌合部１７ａＲのそれぞれの下端部がデッキプレート１０ａの凹部の底面である下フランジ１５ａ２に当接する。それゆえ、蓋嵌合部１７ａＬ・蓋嵌合部１７ａＲのそれぞれの下端部で、凹部用蓋１２ａを支持することができる。よって、さらに、凹部用蓋１２ａのデッキプレート１０ａにおける耐圧特性を高めることができる。
【０１００】
なお、連結凹部用蓋１２ｂにおける連結凹部への嵌合幅と、凹部用蓋１２ａにおける凹部への嵌合幅とは、同一に形成されていることが好ましい。
【０１０１】
これにより、凹部用蓋１２ａ及び連結凹部用蓋１２ｂは、それぞれ、連結凹部及び凹部に転用させることが可能となる。それゆえ、これらの蓋を別々に生産するという面倒な作業を行う必要がなく、生産効率を高めると共に、生産コストを低減させることができる。
【０１０２】
なお、デッキプレート１０ａの凹部用蓋１２ａ及び連結凹部用蓋１２ｂは、取り外し自在であることが好ましい。
【０１０３】
これにより、凹部用蓋１２ａは、取り外すことができるので、凹部用蓋１２ａと他の凹部用蓋として例えば、連結凹部用蓋１２ｂとの交換が可能となる。それゆえ、必要に応じて、所望の構成を備える凹部用蓋を選択して利用することができる。
【０１０４】
〔３．デッキプレートの連結構造及び凸部上部平面における幅の、凸部高さに対する比について〕
つぎに、図４に基づき、デッキプレート１０ａ・デッキプレート１０ｂの連結構造について説明する。図４は、デッキプレート１０ａの連結構造を説明するための断面図である。図４に示すように、デッキプレート１０ａを構成する折板材１１ａは、折板材１１ａと隣接する、デッキプレート１０ｂを構成する他の折板材１１ｂと連結可能に設けられている。
【０１０５】
また、折板材１１ａの連結凹部下フランジ（連結凹部，一方の端部，又は他方の端部）１５ａ１・連結凹部下フランジ（連結凹部，一方の端部，又は他方の端部）１５ａ３のそれぞれには、折板材１１ａと隣接する、デッキプレート１０ｂを構成する他の折板材１１ｂなどに連結させるための、左連結部（一方連結部,他方連結部，一方の端部，他方の端部，及び連結凹部）２０ａＬ及び右連結部（一方連結部,他方連結部，一方の端部，他方の端部，及び連結凹部）２０ａＲが形成されている。
【０１０６】
また、デッキプレート１０ｂの連結凹部下フランジ（連結凹部，一方の端部、又は他方の端部）１５ｂ１には、左連結部（一方連結部,他方連結部，一方の端部，他方の端部，及び連結凹部）２０ｂＬが形成されている。それゆえ、デッキプレート１０ａとデッキプレート１０ｂとを連結させることができる。
【０１０７】
また、図４では、デッキプレート１０ａを構成する折板材１１ａの右連結部２０ａＲと、デッキプレート１０ｂを構成する折板材１１ｂの左連結部２０ｂＬとを連結させて、デッキプレート１０ａとデッキプレート１０ｂとを連結させた様子を示している。
【０１０８】
このように、折板材１１ａの連結凹部下フランジ１５ａ１・連結凹部下フランジ１５ａ３のそれぞれの端部をＳ字上に湾曲させて形成した右連結部２０ａＲ・左連結部２０ｂＬを連結させることによって、ウエブ（連結凹部嵌合部，連結凹部又は凸部）１６ａ２Ｒ、ウエブ（連結凹部嵌合部，連結凹部又は凸部）１６ｂ１Ｌ、及び連結凹部下フランジ（連結凹部，一方の端部，又は他方の端部）１５ａ３で構成される連結凹部が形成される。
【０１０９】
さらに、前記連結凹部に、該連結凹部を覆う取り外し自在の連結凹部用蓋１２ｂが設けられた場合に、上フランジ１３ａ１、上フランジ１３ａ２、及び上フランジ１３ｂ１は、蓋上部平面１４ｂと同一平面となるように形成されている。なお、連結凹部用蓋１２ｂは取り外し可能である。
【０１１０】
これにより、デッキプレート１０ａとデッキプレート１０ｂとを連結させた後に、前記連結凹部を連結凹部用蓋１２ｂで覆うことができるので、施工が容易であり、右連結部２０ａＲと左連結部２０ｂＬとを連結させた場合の連結部付近に雨水が溜まり、該連結部付近から雨水などが漏れるのを防止することができる。
【０１１１】
図４に示すように、右連結部２０ａＲと左連結部２０ｂＬとは、互いに掛止される構造により、連結凹部が形成されている。一方、図２（ｃ）に示すように、連結凹部用蓋１２ｂは、連結凹部に嵌合される連結凹部用蓋嵌合部１７ｂＬ・連結凹部用蓋嵌合部１７ｂＲを有している。
【０１１２】
ところで、折板材１１ａの右連結部２０ａＲと折板材１１ｂの左連結部２０ｂＬとの距離が狭まると、連結凹部が掛止されている状態が壊れてしまう。しかしながら、前記構成によれば、連結凹部を覆う、連結凹部用蓋嵌合部１７ｂＬ・連結凹部用蓋嵌合部１７ｂＲを有する連結凹部用蓋１２ｂを、該連結凹部と嵌合させることにより、前記距離が狭まるのを防止することができる。それゆえ、連結凹部用蓋１２ｂで、連結凹部を覆うことにより、右連結部２０ａＲと左連結部２０ｂＬとが互いに掛止されている状態を維持し易くすることができる。
【０１１３】
次に、図４に基づき、デッキプレートの凸部上部平面における幅の、凸部高さに対する比について説明する。図４は、デッキプレート１０ａの凸部上部平面の幅Ａの凸部高さＢに対する比を説明するための断面図である。
【０１１４】
図４に示す凸部上部平面の幅Ａは、折板材１１ａの上フランジ１３ａ１又は上フランジ１３ａ２のデッキプレート１０ａの凹凸の隣接する方向の幅である。また、凸部高さＢは、上フランジ１３ａ１又は上フランジ１３ａ２と下フランジ１５ａ２との距離である。このとき、比Ａ／Ｂは、１〜３の値をとることが好ましい。
【０１１５】
ここで、比Ａ／Ｂが３よりも大きいとデッキプレート１０ａにおける凸部の相対的高さは低くなり、荷重により、凹凸が隣接する方向へ凸部が倒れにくくなる。したがって、凹部用蓋１２ａを設ける意義がなくなる。このため、折板材１１ａが通常鋼板であるとした場合に、比Ａ／Ｂは３以下であることが好ましい。
【０１１６】
一方、比Ａ／Ｂが１よりも小さいと、デッキプレート１０ａにおける凸部の相対的高さは高くなるが、１枚の折板材１１ａにおける凹凸の密度が高くなる。この結果、荷重により、凹凸が隣接する方向へ凸部が倒れにくくなる。したがって、この場合も、凹部用蓋１２ａを設ける意義がなくなる。したがって、比Ａ／Ｂは１以上であることが好ましい。
【０１１７】
これにより、、デッキプレート１０ａの強度を実用に耐えうる強度に保ちつつ、荷重によるデッキプレートの凸部の転倒を防止することができる。
【０１１８】
〔４．凸部が１つであるデッキプレートの例〕
次に、図５（ａ）・図５（ｂ）に基づき、凸部が１つである場合のデッキプレート１０ａについて説明する。
【０１１９】
デッキプレート１０ａは、図５（ａ）・図５（ｂ）に示すように、金属板を折り曲げ成形することにより、凸部が１つである折板材１１ａを備えたものである。それゆえ、デッキプレート１０ａ一枚の重量を、凸部が複数ある折板材を備えたデッキプレートよりも小さくでき、運搬性や施工性を良くすることが可能である。
【０１２０】
また、デッキプレート１０ａを構成する折板材１１ａは、隣接するデッキプレート１０ｂを構成する他の折板材１１ｂと連結可能に設けられている。
【０１２１】
また、折板材１１ａの連結凹部下フランジ１５ａ１・連結凹部下フランジ１５ａ３のそれぞれには、折板材１１ａと隣接する、デッキプレート１０ｂを構成する他の折板材１１ｂなどに連結させるための、左連結部２０ａＬ・右連結部２０ａＲが形成されている。
【０１２２】
また、デッキプレート１０ｂの連結凹部下フランジ１５ｂ１には、左連結部２０ｂＬが形成されている。それゆえ、デッキプレート１０ａとデッキプレート１０ｂとを連結させることができる。
【０１２３】
折板材１１ａにおける凸部は、凸部の上部における平面である上フランジ（凸部上部平面）１３ａ、ウエブ（連結凹部嵌合部，連結凹部又は凸部）１６ａＬ及びウエブ（連結凹部嵌合部，連結凹部又は凸部）１６ａＲで構成されるものである（凸部）。
【０１２４】
また、図５（ａ）では、デッキプレート１０ａを構成する折板材１１ａの右連結部２０ａＲと、デッキプレート１０ｂを構成する折板材１１ｂの左連結部２０ｂＬとを連結させて、デッキプレート１０ａとデッキプレート１０ｂとを連結させた様子を示している。
【０１２５】
このように、折板材１１ａの連結凹部下フランジ１５ａ１・連結凹部下フランジ１５ａ３の端部をそれぞれＳ字上・鉤爪上に湾曲させて形成した右連結部２０ａＲ・左連結部２０ｂＬを連結させることによって、ウエブ１６ａＲ、ウエブ（連結凹部嵌合部，連結凹部又は凸部）１６ｂＬ、及び連結凹部下フランジ１５ａ３で構成される連結凹部が形成される。なお、連結凹部は、連結凹部下フランジ１５ａ１側の左連結部２０ａＬと他のデッキプレートの右連結部とで形成されていても良い。
【０１２６】
さらに、前記連結凹部に、該連結凹部を覆う取り外し自在の連結凹部用蓋１２ｂが設けられている場合に、上フランジ１３ａは、蓋上部平面１４ｂと同一平面となるように形成されている。なお、連結凹部用蓋１２ｂは取り外し可能である。それゆえ、デッキプレート１０ａの上面には、上フランジ１３ａに加えて、上フランジ１３ａと同一平面となる連結凹部用蓋１２ｂの蓋上部平面１４ｂが存在することになるので、フラットな面が占める割合が、連結凹部用蓋１２ｂの無いデッキプレートと比較して圧倒的に高くなるようにすることができる。
【０１２７】
また、折板材１１ａと折板材１１ｂとをを連結させた場合には、連結することによって形成される連結凹部に、取り外し自在の連結凹部用蓋１２ｂを設けることにより、断熱材などを上に載せた場合でも該断熱材などに加わる圧力を分散させ、該断熱材などが割れるのを防止することができる。よって、施工作業中の作業者や雪の重さなどの荷重に耐え、断熱板や防水シートなどを敷設する作業を容易化することができる。
【０１２８】
図５（ｂ）は、デッキプレート１０ａとデッキプレート１０ｂとによって形成された連結凹部に取り外し自在の連結凹部用蓋１２ｂが設けられている様子を示している。
【０１２９】
これにより、デッキプレート１０ａとデッキプレート１０ｂとを連結させた後に、前記連結凹部を連結凹部用蓋１２ｂで覆うことができるので、施工が容易であり、右連結部２０ａＲと左連結部２０ｂＬとを連結させた場合の連結部付近に雨水が溜まり、該連結部付近から雨水などが漏れるのを防止することができる。
【０１３０】
図５（ａ）に示すように、右連結部２０ａＲと左連結部２０ｂＬとは、互いに掛止される構造により、連結凹部が形成されている。一方、連結凹部用蓋１２ｂは、連結凹部に嵌合される連結凹部用蓋嵌合部１７ｂＬ・連結凹部用蓋嵌合部１７ｂＲを有している。
【０１３１】
ところで、折板材１１ａの右連結部２０ａＲと折板材１１ｂの左連結部２０ｂＬとの距離が狭まると、連結凹部が掛止されている状態が壊れてしまう。しかしながら、前記構成によれば、連結凹部を覆う、連結凹部用蓋嵌合部１７ｂＬ・連結凹部用蓋嵌合部１７ｂＲを有する連結凹部用蓋１２ｂを、該連結凹部と嵌合させることにより、前記距離が狭まるのを防止することができる。それゆえ、連結凹部用蓋１２ｂで、連結凹部を覆うことにより、右連結部２０ａＲと左連結部２０ｂＬとが互いに掛止されている状態を維持し易くすることができる。
【０１３２】
〔５．まとめ〕
以上により、強度が強い構造であるというデッキプレートの特性を生かしつつ、断熱材などを上に載せた場合でも該断熱材などに加わる圧力を分散させることにより該断熱材などが割れるのを防止することができ、施工作業中の作業者や雪の重さなどの荷重に耐え、断熱板や防水シートなどを敷設する作業を容易化することができるデッキプレート１０ａなどを提供することができる。
【０１３３】
なお、本発明は、上述したデッキプレートの例に限定されるものではなく、本発明を実施するための最良の形態の欄で説明した技術的手段の範囲内で種々の変更が可能であり、各技術的手段を適宜組み合わせて得られる実施形態についても本発明の技術的範囲に含まれる。
【産業上の利用可能性】
【０１３４】
本発明は、屋根板、屋根下地等の屋根構造物や、床板などの床構造物など、建築、土木、車両、その他の構造物において使用される、金属板を折り曲げて成形した折板材に広く適用することができる。
【図面の簡単な説明】
【０１３５】
【図１】本発明におけるデッキプレートの実施の一形態を示す斜視図である。
【図２】（ａ）は、前記デッキプレートの断面形状を示す断面図であり、（ｂ）は、前記デッキプレートにおける凹部用蓋の一例の断面形状を示す断面図である。（ｃ）は、本発明におけるデッキプレートにおける連結凹部用蓋の一例を示す断面図である。
【図３】（ａ）は、前記凹部用蓋の一例を示す斜視図であり、（ｂ）は、前記連結凹部用蓋の一例を示す斜視図である。
【図４】前記デッキプレートの連結構造及び凸部上部平面の幅の凸部高さに対する比を説明するための断面図である。
【図５】（ａ）は、本発明におけるデッキプレートの他の実施の形態における連結構造を示す断面図であり、（ｂ）は、該連結構造における連結凹部に連結凹部用蓋を設けた場合を示す断面図である。
【図６】従来のフラット屋根を説明するための斜視図である。
【図７】従来のデッキプレートを用いた屋根下地構造を説明するための断面図であり、（ｂ）は、従来のデッキプレートの各部の名称を説明するための断面図である。
【図８】従来のデッキプレート、断熱板、及び防水シートを用いた屋根板構造を説明するための斜視図である。
【符号の説明】
【０１３６】
１０ａ，１０ｂ  デッキプレート
１１ａ，１１ｂ  折板材
１２ａ  凹部用蓋
１２ｂ  連結凹部用蓋
１３ａ１，１３ａ２，１３ｂ１  上フランジ（凸部上部平面又は凸部）
１４ａ，１４ｂ  蓋上部平面
１５ａ２  下フランジ（凹部下部平面，凹部）
１５ａ１，１５ａ３，１５ｂ１  連結凹部下フランジ（連結凹部，一方の端部又は他方の端部）
１６ａＬ,１６ａＲ，１６ｂＬ  ウエブ（連結凹部嵌合部，連結凹部又は凸部）
１６ａ１Ｌ，１６ａ２Ｒ，１６ｂ１Ｌ  ウエブ（連結凹部嵌合部，連結凹部又は凸部）
１６ａ１Ｒ，１６ａ２Ｌ  ウエブ（凹部嵌合部，凸部又は凹部）
１７ａＬ，１７ａＲ  蓋嵌合部
１７ｂＬ，１７ｂＲ  連結凹部用蓋嵌合部
１８ａ１Ｒ，１８ａ２Ｌ  凹部係止部，凹部
１８ａＬ，１８ａＲ，１８ｂＬ  連結凹部係止部，連結凹部
１８ａ１Ｌ，１８ａ２Ｒ，１８ｂ１Ｌ  連結凹部係止部，連結凹部
１９ａＬ，１９ａＲ  蓋被係止部
１９ｂＬ，１９ｂＲ  連結凹部用蓋被係止部
２０ａＬ，２０ｂＬ  左連結部（一方連結部,他方連結部，一方の端部，他方の端部，及び連結凹部）
２０ａＲ  右連結部（一方連結部,他方連結部，一方の端部，他方の端部，及び連結凹部）
Ａ  凸部上部平面の幅
Ｂ  凸部高さ
【図１】
2008180031.tif 000003
【図２】
2008180031.tif 000004
【図３】
2008180031.tif 000005
【図４】
2008180031.tif 000006
【図５】
2008180031.tif 000007
【図６】
2008180031.tif 000008
【図７】
2008180031.tif 000009
【図８】
2008180031.tif 000010
【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
金属板を折り曲げ成形することにより、複数の凸部及び凹部が交互に規則的に配列された折板材を備えたデッキプレートにおいて、
前記折板材は、隣接する他の折板材と連結可能に設けられていると共に、
該折板材の凹凸の隣接する方向における一方及び他方の端部のそれぞれには、隣接する他の折板材に連結させるための、一方連結部及び他方連結部が形成されており、
前記折板材の一方連結部又は他方連結部のそれぞれに、前記他の折板材における他方連結部又は一方連結部を連結させた場合に、連結凹部が形成されるように、前記一方及び他方の端部は、形成されていると共に、
前記連結凹部に、該連結凹部を覆う取り外し自在の連結凹部用蓋が設けられた場合に、
前記凸部の凸部上部平面は、前記連結凹部用蓋の蓋上部平面と同一平面となるように形成されていることを特徴とするデッキプレート。
【請求項２】
前記連結凹部用蓋における連結凹部への嵌合幅と、前記凹部用蓋における凹部への嵌合幅とは、同一に形成されていることを特徴とする請求項１記載のデッキプレート。
【請求項３】
前記折板材の一方連結部と、この折板材に隣接する折板材の他方連結部とが互いに掛止されると共に、
前記連結凹部用蓋は、前記連結凹部に嵌合される連結凹部用蓋嵌合部を有していることを特徴とする請求項１に記載のデッキプレート。
【請求項４】
前記凹部を覆う凹部用蓋が設けられていると共に、
前記凹部用蓋の蓋上部平面は、前記凸部の凸部上部平面と同一平面となるように形成されていることを特徴とする請求項１〜３のいずれか１項に記載のデッキプレート。
【請求項５】
前記凸部上部平面における、前記折板材の凹凸の隣接する方向の幅の、前記凸部上部平面と、前記凹部の凹部下部平面との距離である凸部高さに対する比が、１〜３であることを特徴とする請求項４に記載のデッキプレート。
【請求項６】
前記凹部には、前記凹部用蓋を係止させるための凹部係止部が設けられていることを特徴とする請求項４又は５に記載のデッキプレート。
【請求項７】
前記凹部用蓋には、前記凹部係止部に係止されるための蓋被係止部が設けられていることを特徴とする請求項６に記載のデッキプレート。
【請求項８】
前記凹部用蓋は、前記凹部に押圧状態で嵌合される蓋嵌合部を有していることを特徴とする請求項４〜７のいずれか１項に記載のデッキプレート。
【請求項９】
前記蓋嵌合部における下端部は、前記凹部用蓋で前記凹部を覆った場合に該凹部の底面に当接するように形成されていることを特徴とする請求項８に記載のデッキプレート。
【請求項１０】
前記凹部用蓋は、取り外し自在であることを特徴とする請求項４〜９のいずれか１項に記載のデッキプレート。
【請求項１１】
前記凹部用蓋に、エンボス加工による加工形状が形成されていることを特徴とする請求項１〜１０のいずれか１項に記載のデッキプレート。
【請求項１２】
前記凸部平面に、エンボス加工による加工形状が形成されていることを特徴とする請求項１〜１１のいずれか１項に記載のデッキプレート。
【請求項１３】
金属板を折り曲げ成形することにより、凸部が１つである折板材を備えたデッキプレートにおいて、
該折板材は、隣接する他の折板材と連結可能に設けられていると共に、
前記凸部の一方及び他方の端部のそれぞれには、隣接する他の折板材に連結させるための、一方連結部及び他方連結部が形成されており、
前記折板材の一方連結部又は他方連結部のそれぞれに、前記他の折板材における他方連結部又は一方連結部を連結させた場合に、連結凹部が形成されるように、前記一方及び他方の端部は、形成されていると共に、
前記一方連結部又は他方連結部の少なくとも一方側の連結凹部に、該連結凹部を覆う取り外し自在の連結凹部用蓋が設けられていると共に、前記凸部の凸部上部平面は、前記連結凹部用蓋の蓋上部平面と同一平面となるように形成されていることを特徴とするデッキプレート。